(57)【特許請求の範囲】
【請求項１】
絵画、カラー写真等によりカラーの原図を作成する工程、
この原図を構成する色を同一又は近似色毎の領域で境界線を設ける工程、
境界線に沿って分割してピース原形を形成する工程、
このピース原形を同一色又は近似色毎に複数のピース原形に色別にまとめて配置した夫々の型を製作する工程、
夫々の型でパズルピースに対応する色で着色した樹脂剤によりプラスチック製のパズルピースを成形する工程、
より成ることを特徴とするジクソーパズルのパズルピース製造方法。
【請求項２】
全部又は一部のパズルピースの表面に変化をもたせるよう、製作された型に表面処理が施される工程を有する請求項１記載のジクソーパズルのパズルピース製造方法。
【請求項３】
境界線上に境界帯状体を形成し、この境界帯状体を一つの色領域とする請求項１又は２記載のジクソーパズルのパズルピース製造方法。
【発明の詳細な説明】
【０００１】
【発明の属する技術分野】
本発明は、一枚の絵等をばらした小片を集めて元の絵に復元するジクソーパズルに関し、詳しくは、色を基準として絵や写真を、パズルとして色彩豊かに表現できるプラスチック製のジクソーパズルのパズルピース製造方法に関するものである。
【０００２】
【従来の技術】
従来のジクソーパズルは写真や絵画を厚紙に印刷し、ジグザクにカットし、パズルピースを製造している。
又、木製パズルはウォータージェットカッター等で木材をカットし、パズルピースを製造している。
【０００３】
【発明が解決しようとする課題】
ジクソーパズルは、上記のように紙という弱い材料で作成するため、尖った形状や複雑な形状のパズルピースをカットして製造することは困難であり、例え、製造しても使用により細かな部分は簡単に損傷し、型が崩れて使用が不可能となる。したがって、パズルピースはどれも似たような形となり、変化に欠けた面白味のない物となってしまうのである。
又、木製パズルは色彩豊かな表現をするためには、パズルピースを塗装する必要があり、色彩豊かで変化に富んだ形状を表現するには限度があり、製造が困難である。
【０００４】
又、紙製ジクソーパズルや木製パズルはその表面に着色しているため、使用により徐々に色褪せが生じると共に、傷が付くと着色した表面の色が剥がれ、地色が露出して傷が目立ち易くなってしまうのである。
【０００５】
上記点を考慮し、本発明は色彩豊かで変化に富んだ形状のパズルピースをプラスチックで効率よく製造でき、かつ使用によって色褪せがなく、然も傷が付いても傷が殆ど目立つことのないジクソーパズルのパズルピース製造方法を提供しようとするものである。
【０００６】
【課題を解決するための手段】
上記課題を解決するため本発明ジクソーパズルのパズルピース製造方法は、絵画、カラー写真等によりカラーの原図をする工程、この原図を構成する色を同一又は近似色毎の領域で境界線を設ける工程、境界線に沿って分割してピース原形を形成する工程、このピース原形を同一色又は近似色毎に複数のピース原形に色別にまとめて配置した夫々の型を製作する工程、夫々の型でパズルピースに対応する色で着色した樹脂剤によりプラスチック製のパズルピースを成形する工程より成ることを特徴とするものである。
【０００７】
又、請求項１のジクソーパズルのパズルピース製造方法に於いて、全部又は一部のパズルピースの表面に変化をもたせるよう、型に表面処理が施されていることが好ましい。
又、請求項１又は２のジクソーパズルのパズルピース製造方法に於いて、境界線上に境界帯状体を形成し、この境界帯状体を一つの色領域とすることもできる。
【０００８】
本発明方法は、複数のパズルピースを同一又は近似色毎に色別にまとめて型で一挙に成形できるので、効率のよい成形となる。
又、型による成形であるため、尖った形状や複雑な形状でも細部にわたって正確な形状のパズルピースの製造が可能となる。
又、パズルピースの色は着色された樹脂剤により成形するため、均一な色となる。そして、成形されたプラスチック製のパズルピースは、使用によって色褪せがないと共に、傷が付いてもパズルピースの外側面から内部までの全体が同一色となっているため色が剥げることがなく、傷が殆ど目立たないものとなる。
【０００９】
又、型にシボ加工或いはエッチング加工等の表面処理を施すことにより、全部又は一部のパズルピースの表面に模様や凹凸等の変化をもたらすことができる。
又、境界線上に境界帯状体を形成し、この境界帯状体を一つの色領域とすることにより、境界帯状体を個々のパズルピースが嵌入するガイド枠として使用したり、或いは境界帯状体そのものをパズルピースとして使用することもできる。
【００１０】
【発明の実施の形態】
以下、本発明の一実施の形態を図面に基づき説明する。
図１乃至図５は本発明の製造工程を示した図であり、図１乃至図５に於いて、先ず絵画、カラー写真等によりカラーの原図１を作成する。
この原図１は青色２、朱色３、白色４、緑色５、水色６、紫色７、茶色８の複数の色でおし鳥の図９と背景１０が表されている（図１）。
【００１１】
次に、原図１に原図１を構成する色を同一又は近似色毎の領域で境界線１１を設けて原図１を分割して青色のピース原形２Ａ、２Ａ…、朱色のピース原形３Ａ、３Ａ…、白色のピース原形４Ａ、４Ａ…、緑色のピース原形５Ａ、５Ａ…、水色のピース原形６Ａ、６Ａ…、紫色のピース原形７Ａ、７Ａ…、茶色のピース原形８Ａ、８Ａ…を形成する（図２）。
尚、色の領域は同一色で濃淡に微妙な差異がある程度の色や、異色であるが同系色で明度や彩度にあまり違いのない色等は近似色として同一領域内に含ませることもできる。
尚、原図は、絵画や写真を貼着又はプリントした木板や厚紙で作成し、後述のピース原形を得たり、パソコンを利用して画面上で処理し、デンタとして後述のピース原形を得ることができる。
【００１２】
次に、分割したピース原形を同一又は近似色毎に複数のピース原形に色別にまとめて、これ等の色毎のパズルピースの成形部１２を複数まとめて射出成形し易く配置した色別の金型１３を夫々製作する（図３）。尚、図３は青色のパズルピースの成形部１２、１２…の金型１３を示している。
又、適宜の成形部１２にＮＣ加工、エッチング加工、シボ加工等の表面処理を施すことにより、パズルピースに模様や文字或いは凹凸等を表し、装飾性や芸術性に富んだジクソーパズルとすることができる。
【００１３】
次に、金型１３にパズルピースに対応する色で着色した樹脂剤１４を射出成形機（図示せず）で夫々押し込み射出成形し、色付きのプラスチック製のパズルピースを製造する（図４及び図５）。
図４及び図５は青色の樹脂剤１４を金型１３に充填し、青色のプラスチック製のパズルピース２Ｂ、２Ｂ…を製造した場合を示している。尚、青色の近似色は総て青色と同一色になる。
以下、同様にして射出成形により朱色のプラスチック製パズルピース３Ｂ、３Ｂ…、白色のプラスチック製パズルピース４Ｂ、４Ｂ…、緑色のプラスチック製のパズルピース５Ｂ、５Ｂ…、水色のプラスチック製のパズルピース６Ｂ、６Ｂ…、紫色のプラスチック製のパズルピース７Ｂ、７Ｂ…、茶色のプラスチック製のパズルピース８Ｂ、８Ｂ…を製造する。
尚、図６は台座枠１５の中へパズルピースを並べた使用状態を示す平面図である。
【００１４】
次に、図７は請求項３の本発明方法の原図の平面図、図８は同上の台座枠１５にプラスチック製の境界帯状体１６を固定した場合の平面図である。
図７及び図８に於いて、図１乃至図６と相当する箇所にはそれと同一符号を付してある。
境界帯状体１６は原図１を構成する色を同一又は近似色毎の領域で区画したものであり、この境界帯状体１６で原図１を分割する。
【００１５】
又、境界帯状体１６は着色され、一つの色領域とされるが、他のパズルピースと異色とすることが望ましい。
又、境界帯状体１６は前記パズルピースの製造方法と同様の方法でプラスチック製の境界帯状体１６Ｂに製造される。
尚、プラスチック製の境界帯状体１６Ｂを他のパズルピースの何れかと同一色とした場合は同一色のパズルピースとまとめて金型で製造する。
【００１６】
又、プラスチック製の境界帯状体１６Ｂは複数の境界帯状体１６Ｂに分けて成形することもできるが、一体に成形することもできる。
プラスチック製の境界帯状体１６Ｂを複数に分けた場合は、プラスチック製の境界帯状体１６Ｂを一種のパズルピースとして使用できる。
又、プラスチック製の境界帯状体１６Ｂを台座枠１５に固定すれば、個々のパズルピースの嵌入するガイド枠としての使用が可能である（図８）。
【００１７】
【発明の効果】
本発明によれば、パズルピースを同一又は近似色毎に色別に複数まとめて型で成形するので、尖った形状や複雑な形状でも細部にわたって正確な形状のパズルピースを効率よく製造できる。
又、本発明は多くの色彩を色を基準として複数の色に要約仕分けし、図柄を表現したものであるから、写真や絵画を色彩豊かに表現し、芸術性が高くかつ変化に富んだ組み合わせのジクソーパズルとなり、完成したパズルを部屋に飾れば好適のインテリアとなる。
【００１８】
そして、成形されたプラスチック製のパズルピースは表面上に印刷又は塗装したものと異なり、使用によって色褪せがないと共に、傷が付いてもパズルピース全体が同一色となっているため色が剥げることがなく、傷が殆ど目立たないものとなると共に耐久性を有する。
又、境界帯状体を一つの色領域とすることにより、境界帯状体を個々のパズルピースが嵌入するガイド枠として使用したり、或いは境界帯状体そのものをパズルピースとして使用することもでき、然も境界帯状体を他のパズルピースと異色とすることにより色数が増え、より豊かな色彩のジクソーパズルとなる。
又、パズルピースをガイド枠として使用すれば境界帯状体が目安となり、年寄りや小さな子供にも解り易いので、パズルを楽しみながら色彩感覚を磨き、図案構成を学び、頭脳を活性化する等の学習や訓練に活用できるものである。
又、パズルピースは薄い板状なので射出成形の金型が非常に安価に製作できるものであって、経済的効果も有する有用な発明である。
【図面の簡単な説明】
【図１】請求項１の本発明方法の製造工程の一実施の形態を示す平面図である。
【図２】請求項１の本発明方法の製造工程の一実施の形態を示す平面図である。
【図３】請求項１の本発明方法の製造工程の一実施の形態を示す平面図である。
【図４】請求項１の本発明方法の製造工程の一実施の形態を示す平面図である。
【図５】請求項１の本発明方法の製造工程の一実施の形態を示す平面図である。
【図６】請求項１の本発明方法により製造したパズルピースの使用状態を示す平面図である。
【図７】請求項３の本発明方法の製造工程中原図の平面図である。
【図８】請求項３の本発明方法の境界帯状体を台座枠に固定した平面図である。
【符号の説明】
１  原図
２  青色
３  朱色
４  白色
５  緑色
６  水色
７  紫色
８  茶色
９  おし鳥の図
１０  背景
１１  境界線
１２  成形部
１３  金型
１４  樹脂剤
１５  台座枠
１６  境界帯状体
２Ａ  青色のピース原形
３Ａ  朱色のピース原形
４Ａ  白色のピース原形
５Ａ  緑色のピース原形
６Ａ  水色のピース原形
７Ａ  紫色のピース原形
８Ａ  茶色のピース原形
２Ｂ  青色のプラスチック製のパズルピース
３Ｂ  朱色のプラスチック製のパズルピース
４Ｂ  白色のプラスチック製のパズルピース
５Ｂ  緑色のプラスチック製のパズルピース
６Ｂ  水色のプラスチック製のパズルピース
７Ｂ  紫色のプラスチック製のパズルピース
８Ｂ  茶色のプラスチック製のパズルピース
１６Ｂ  プラスチック製の境界線帯状体
【図１】
0003612490.tif 000002
【図２】
0003612490.tif 000003
【図３】
0003612490.tif 000004
【図４】
0003612490.tif 000005
【図５】
0003612490.tif 000006
【図６】
0003612490.tif 000007
【図７】
0003612490.tif 000008
【図８】
0003612490.tif 000009